(57)【特許請求の範囲】
【請求項１】
第１発光色で発光する第１発光素子と、
前記第１発光色とは異なる第２発光色で発光する第２発光素子と、
前記第１発光素子及び前記第２発光素子が外側の面に取り付けられる吹流しと、
垂直方向に延びる支持柱と、前記支持柱の所定の高さ位置において回動可能に軸支され、前記吹流しを支持する回動アームと、を有する支持装置と、
風力が所定風力であるときに前記吹流しが垂直位置からたなびく第１角度と、前記風力に応じて前記吹流しが垂直位置からたなびく第２角度と、に基づいて、前記風力が前記所定風力よりも弱いか否かを検出する風力検出装置と、
前記第２角度が前記第１角度よりも小さい場合は前記第２角度に応じて前記第１発光素子又は前記第２発光素子を選択的に発光させ、前記第２角度が前記第１角度よりも大きい場合は前記第１発光素子及び前記第２発光素子を発光させない制御装置と、
を備えたことを特徴とする風力確認装置。
【請求項２】
照度が所定照度よりも低いか否かを検出する照度検出装置、を備え、
前記制御装置は、前記第２角度が前記第１角度よりも小さく、且つ、前記照度が前記所定照度よりも低いと、前記第１発光素子又は前記第２発光素子を選択的に発光させる
ことを特徴とする請求項１に記載の風力確認装置。
【請求項３】
前記第１発光素子及び前記第２発光素子に電力を供給するバッテリと、
前記バッテリを充電するための風力発電装置と、を備える
ことを特徴とする請求項１又は２に記載の風力確認装置。
【請求項４】
前記バッテリを充電するための太陽光発電装置、を備える
ことを特徴とする請求項３に記載の風力確認装置。
【発明の詳細な説明】
【技術分野】
【０００１】
本発明は、風力確認装置に関する。
【背景技術】
【０００２】
例えば、特許文献１において、風力によってたなびく吹流しが開示されている。
【先行技術文献】
【特許文献】
【０００３】
【特許文献１】特開２００５−１６５３１０号公報
【発明の概要】
【発明が解決しようとする課題】
【０００４】
例えば、特許文献１の吹流しを視認して、当該吹流しが設置されている位置の風力を確認することができる。しかし、照度が低い夜間等には、吹流しの視認が困難となるために、当該吹流しの視認による風力の確認ができなくなる虞がある。
【課題を解決するための手段】
【０００５】
前述した課題を解決する主たる本発明は、第１発光色で発光する第１発光素子と、前記第１発光色とは異なる第２発光色で発光する第２発光素子と、前記第１発光素子及び前記第２発光素子が外側の面に取り付けられる吹流しと、垂直方向に延びる支持柱と、前記支持柱の所定の高さ位置において回動可能に軸支され、前記吹流しを支持する回動アームと、を有する支持装置と、風力が所定風力であるときに前記吹流しが垂直位置からたなびく第１角度と、前記風力に応じて前記吹流しが垂直位置からたなびく第２角度と、に基づいて、前記風力が前記所定風力よりも弱いか否かを検出する風力検出装置と、前記第２角度が前記第１角度よりも小さい場合は前記第２角度に応じて前記第１発光素子又は前記第２発光素子を選択的に発光させ、前記第２角度が前記第１角度よりも大きい場合は前記第１発光素子及び前記第２発光素子を発光させない制御装置と、を備えたことを特徴とする風力確認装置である。
本発明の他の特徴については、添付図面及び本明細書の記載により明らかとなる。
【発明の効果】
【０００６】
本発明によれば、風力を確認することができる。
【図面の簡単な説明】
【０００７】
【図１】本発明の実施形態における吹流し装置を示す図である。
【図２】本発明の実施形態における、無風のときの吹流し装置を示す図である。
【図３】本発明の実施形態における吹流し装置の回路図である。
【図４】本発明の実施形態における制御装置の機能を示すブロック図である。
【図５】本発明の実施形態における発光テーブルを示す図である。
【図６】本発明の実施形態吹流し装置の動作を示すフローチャートである。
【発明を実施するための形態】
【０００８】
本明細書および添付図面の記載により、少なくとも以下の事項が明らかとなる。
【０００９】
＝＝＝吹流し装置＝＝＝
以下、図１、図２を参照して、本実施形態における吹流し装置について説明する。図１は、本実施形態における吹流し装置を示す図である。図２は、本実施形態における、無風のときの吹流し装置を示す図である。尚、図１及び図２において、角度エンコーダ６、電線Ｌ１、Ｌ２、発電機４２、回転軸４１１は見えない状態となっているが、説明の便宜上、点線で示される。
【００１０】
吹流し装置１００（風力確認装置）は、吹流し装置１００が設置されている位置の風力及び風向を確認するための装置である。尚、本実施形態において、Ｚ軸は、支持柱７１が延びる垂直方向に沿う軸であり、上側に向かう方向を＋Ｚとし、下側に向かう方向を−Ｚとする。Ｘ軸は、固定アーム７６が延びる方向に沿う軸であり、一方に向かう方向を＋Ｘとし、他方に向かう方向を−Ｘとする。Ｙ軸は、Ｘ軸及びＺ軸に直交する方向に沿う軸であり、奥側に向かう方向を＋Ｙとし、手前側に向かう方向を−Ｙとする。吹流し装置１００は、例えば、製鉄所で発生する高炉ガスやコークス炉ガス等の各種副生ガスを燃料として発電する火力発電所内に設置される。そして、吹流し装置１００は、火力発電所内で各種設備の点検や工事等を行う作業者に対して、昼夜を問わず、風力及び風向を知らせることが可能である。
【００１１】
吹流し装置１００は、吹流し２、ＬＥＤ（Light Emitting Diode）２５ａ乃至２５ｄ（以下、「ＬＥＤ２５」ともいう）、ＬＥＤ２６ａ乃至２６ｄ（以下、「ＬＥＤ２６」ともいう）、ＬＥＤ２７ａ乃至２７ｄ（以下、「ＬＥＤ２７」ともいう）、スイッチ装置ＳＷ、制御装置８、支持装置７、角度エンコーダ６、風力発電装置４、太陽光発電装置３、バッテリ５１、照度センサ５２、を有している。
【００１２】
吹流し２は、風力によってたなびく、筒状の布である。吹流し２には、空気の入口となる開口２ａと、空気の出口となる開口２ｂとが設けられる。開口２ａの径は、例えば、開口２ａから吹流し２内に流入した後開口２ｂから吹流し２外へ流出する空気によって吹流し２の開口２ｂ側の端部が吹き上がるように、開口２ｂの径よりも大きく設定されている。吹流し２は、支持装置７に支持される。
【００１３】
支持装置７は、吹流し２、バッテリ５１、風力発電装置４、太陽光発電装置３を支持する装置である。尚、支持装置７については、後述する。
【００１４】
ＬＥＤ２５乃至２７は、吹流し２の視認性を向上させるために発光する発光素子ある。ＬＥＤ２５、２６、２７は夫々、例えば、吹流し２の視認性が向上するように、吹流し２の外側の面に、吹流し２の長手方向に沿って取り付けられる。ＬＥＤ２５、２６、２７は夫々、ＬＥＤ２５、２６、２７に電力が供給された際に、赤色、黄色、青色に発光するものとする。つまり、吹流し２に取り付けられているＬＥＤは、角度θが小さくなるにつれて、青色、黄色、赤色の順に発光することとなる。尚、角度θについては、後述する。尚、例えば、ＬＥＤ２５乃至２７の発光色は、火力発電所内の設備点検等の作業を行う作業者の危険度の認識に基づいて選択される。ＬＥＤ２５乃至２７の発光については、後述する。
【００１５】
角度エンコーダ６は、回動部材７５が回動軸７５１を中心に回動する角度を検出する装置である。尚、角度エンコーダ６については、後述する。
【００１６】
バッテリ５１は、スイッチ装置ＳＷを介して、ＬＥＤ２５乃至２７に電力を供給する。尚、バッテリ５１は、風力発電装置４、太陽光発電装置３の発電電力で充電できるように、発電機４２、ソーラパネル３１と夫々、例えば電線Ｌ１、Ｌ２を介して電気的に接続されている。バッテリ５１は、ＬＥＤ２５乃至２７に対して電力を供給できるように、電線（不図示）、スイッチ装置ＳＷを介して、ＬＥＤ２５乃至２７と電気的に接続されている。尚、風力発電装置４、太陽光発電装置３については、後述する。
【００１７】
スイッチ装置ＳＷは、ＬＥＤ２５乃至２７のうち、バッテリ５１から電力が供給されるＬＥＤを切り替えるための装置である。尚、スイッチ装置ＳＷについては、後述する。
【００１８】
照度センサ５２は、照度センサ５２が設置されている位置の明るさを検知して、当該明るさを示す照度信号を出力する装置である。
【００１９】
制御装置８は、スイッチ装置ＳＷを制御する装置である。尚、制御装置８については、後述する。
【００２０】
＝＝＝支持装置、吹流し＝＝＝
以下、図１、図２を参照して、本実施形態における支持装置、吹流しについて説明する。
【００２１】
支持装置７は、吹流し２、バッテリ５１、風力発電装置４、太陽光発電装置３を支持する装置である。支持装置７は、支持柱７１、ベアリング７２、回動アーム７４、回動部材７５、固定アーム７６を有する。
【００２２】
支持柱７１は、垂直方向（Ｚ軸）に沿って延びる、例えば円柱形状の部材である。支持柱７１の上端（＋Ｚ）には、支持柱７１と直交するＸ軸方向に延びる固定アーム７６が取り付けられている。固定アーム７６上には、例えば、風力発電装置４、太陽光発電装置３、バッテリ５１、照度センサ５２が設けられる。尚、風力発電装置４、太陽光発電装置３、バッテリ５１、照度センサ５２については、後述する。
【００２３】
回動アーム７４は、支持柱７１から離れた位置で吹流し２を支持するための部材である。回動アーム７４は、例えば支持柱７１と直交する水平方向に沿った棒状の部材である。回動アーム７４は、支持柱７１を中心に３６０度回動できるように、回動アーム７４の一方側の端部が取付部材７３及びベアリング７２によって、支持柱７１の所定の高さ位置に回動可能に取り付けられる。つまり、回動アーム７４は、支持柱７１の所定の高さ位置において回動可能に軸支されることとなる。尚、所定の高さ位置とは、例えば、無風のとき（図２）に、回動アーム７４に取り付けられた吹流し２における開口２ｂ側の縁が地面に接触しないような位置である。つまり、地面から所定の高さ位置までの垂直方向の距離は、吹流し２の長手方向の長さよりも長くなる。
【００２４】
回動部材７５は、回動アーム７４における支持柱７１に取り付けられる一方側の端部とは反対側の他方側の端部に、吹流し２を取り付けるための部材である。回動部材７５は、例えば、棒状の部材である。回動部材７５の一方側の縁には、ロープ２２、２３によって吹流し２が取り付けられる。尚、例えば、ロープ２２、２３の一端は夫々、吹流し２の開口２ａ側の縁における当該開口２ａを挟んで対向する位置に取り付けられ、ロープ２２、２３の他端は、回動部材７５の一方側の縁に取り付けられる。回動部材７５は、例えば、回動アーム７４と支持柱７１とで形成される面に対して直交する回動軸７５１を中心に回動できるように、回動アーム７４の他方側の端部に回動可能に取りつけられる。
【００２５】
回動アーム７４、回動部材７５は夫々、風力によってたなびく吹流し２から伝達される力によって、支持柱７１、回動軸７５１を中心に回動することとなる。つまり、回動アーム７４、回動部材７５は夫々、吹流し装置１００が設置されている位置における風力に基づいて、支持柱７１、回動軸７５１を中心に回動することとなる。
【００２６】
例えば、無風の場合（図２）、吹流し２は、垂下した状態となる。尚、吹流し２が垂下した際の当該吹流し２の位置を、吹流し２の垂直位置とする。この際、回動部材７５は、回動部材７５のロープ２２、２３が取り付けられている一方側の縁が下側（−Ｚ）を向き、且つ、回動部材７５が垂直方向に沿うように、回動軸７５１を中心に回動することとなる。尚、回動部材７５が垂直方向に沿い、且つ、回動部材７５の一方側の縁が下側に向けられたときの回動部材７５位置を、回動部材７５の垂直位置とする。
【００２７】
例えば、他方側から一方側（図１中の白抜き矢印の方向）に向かう風を吹流し２が受けた場合、吹流し２は、吹流し２の開口２ａ側の縁が風上側（−Ｘ）に向けられて、且つ、吹流し２の開口２ｂ側の縁が風下側（＋Ｘ）に向けられるように、たなびくこととなる。このとき、回動アーム７４の他方側の端部には、吹流し２によって、他方側から一方側に向かう力が伝達される。回動アーム７４は、回動アーム７４の他方側の端部が風下側を向くように、支持柱７１を中心に回動することとなる。更に、回動部材７５は、吹流し２から伝達される力によって、回動部材７５の一方側の縁の高さが、回動部材７５の垂直位置における回動部材７５の一方側の縁の高さよりも高くなるように、回動部材７５の垂直位置から風下側に向かって回動軸７５１を中心に回動することとなる。回動部材７５は、例えば、吹流し２が吹流し２の垂直位置からたなびく角度θ（第２角度）だけ、回動部材７５の垂直位置から回動することとなる。つまり、角度θの大きさは、吹流し装置１００が設置されている位置における風力に応じて定まることとなる。
【００２８】
＝＝＝角度エンコーダ＝＝＝
以下、図１、図２を参照して、本実施形態における角度エンコーダについて説明する。
【００２９】
角度エンコーダ６は、角度θを検出する装置である。角度エンコーダ６は、例えば、回動アーム７４に対する、回動軸７５１を中心に回動する回動部材７５の回動角度に基づいて、角度θを検出するものとする。角度エンコーダ６は、例えば、角度エンコーダ６で検出した角度θを示す角度信号を出力するものとする。尚、例えば、特開２００８−５１８２７号公報に記載されている発明に基づいて、角度エンコーダ６における角度θを検出する機能を実現することもできる。
【００３０】
＝＝＝風力発電装置＝＝＝
以下、図１を参照して、本実施形態における風力発電装置について説明する。  
風力発電装置４は、バッテリ５１を充電するための装置である。  
風力発電装置４は、風力を利用して発電を行う。風力発電装置４は、羽根４１、発電機４２、本体４３、支持棒４４、ベアリング４５、尾翼４６を有する。
【００３１】
本体４３は、本体４３の内部に発電機４２が配設されるとともに、羽根４１を支持する。  
本体４３は、垂直方向（Ｚ軸）に延びる支持棒４４、ベアリング４５によって、支持棒４４を軸に３６０度回動できるように、回動可能に固定アーム７６上に取り付けられる。  
羽根４１は、風力を受けて、支持棒４４の長手方向に対して略直交する回転軸４１１を中心に回転できるように、本体４３に回転可能に取り付けられる。  
尾翼４６は、羽根４１が風上を向くように本体４３を回動させる。尾翼４６は、本体４３における羽根４１が取り付けられる側とは反対側に取り付けられる。  
発電機４２は、羽根４１の回転力に基づいて発電を行う装置である。
【００３２】
例えば、他方側から一方側に向かう（図１中の白抜き矢印の方向）風を風力発電装置４が受けた場合、本体４３は、羽根４１が風上である他方側を向くように、支持棒４４を中心に回動する。羽根４１は、受けた風力によって回転する。羽根４１の回転力に基づいて、発電機４２は発電する。発電機４２の発電電力は、電線Ｌ１を介してバッテリ５１に供給される。一方、例えば、無風の場合、羽根４１は回転せずに、発電機４２は発電を行わないこととなる。この場合、風力発電装置４からバッテリ５１へは、電力が供給されないこととなる。
【００３３】
＝＝＝太陽光発電装置＝＝＝
以下、図１を参照して、本実施形態における太陽光発電装置について説明する。  
太陽光発電装置３は、バッテリ５１を充電するための装置である。太陽光発電装置３は、ソーラパネル３１、支持棒３２を有する。  
ソーラパネル３１は、太陽光を利用して発電を行う装置である。ソーラパネル３１は、支持棒３２によって、固定アーム７６上に取り付けられる。
【００３４】
例えば、日中は太陽光がソーラパネル３１に照射されるので、太陽光発電装置３で発電が行われて、太陽光発電装置３の発電電力によって、バッテリ５１は充電される。一方、例えば、夜間は、太陽光発電装置３は発電を行わずに、バッテリ５１は太陽光発電装置３によって充電されないこととなる。
【００３５】
＝＝＝スイッチ装置＝＝＝
以下、図３を参照して、本実施形態におけるスイッチ装置について説明する。図３は、本実施形態における吹流し装置の回路図である。尚、ＬＥＤ２５ａ乃至２５ｄは直列接続されているが、説明の便宜上、一つのＬＥＤ２５として示されている。ＬＥＤ２６ａ乃至２６ｄ直列接続されているが、説明の便宜上、一つのＬＥＤ２６として示されている。ＬＥＤ２７ａ乃至２７ｄ直列接続されているが、説明の便宜上、一つのＬＥＤ２７として示されている。
【００３６】
スイッチ装置ＳＷは、ＬＥＤ２５乃至２７夫々とバッテリ５１との間に接続される、スイッチＳＷ５乃至ＳＷ７を有する。スイッチＳＷ５乃至ＳＷ７の開閉は夫々、制御装置８から出力される制御信号Ｚ５乃至Ｚ７によって制御される。
【００３７】
例えば、スイッチを開く制御信号Ｚ５乃至Ｚ７をスイッチ装置ＳＷが受信した場合、スイッチＳＷ５乃至ＳＷ７は開くものとする。又、例えば、スイッチを閉じる制御信号Ｚ５乃至Ｚ７をスイッチ装置ＳＷが受信した場合、スイッチＳＷ５乃至ＳＷ７は閉じるものとする。
【００３８】
＝＝＝吹流し装置の回路＝＝＝
以下、図３を参照して、本実施形態における吹流し装置の回路について説明する。  
吹流し装置１００は、バッテリ５１、スイッチ装置ＳＷ、ＬＥＤ２５乃至２７を有する。
【００３９】
スイッチＳＷ５とＬＥＤ２５は、バッテリ５１の正電極と接地との間に直列接続される。尚、スイッチＳＷ５は、ＬＥＤ２５とバッテリ５１との間に接続されるものとする。スイッチＳＷ６とＬＥＤ２６は、バッテリ５１の正電極と接地との間に直列接続される。尚、スイッチＳＷ６は、ＬＥＤ２６とバッテリ５１との間に接続されるものとする。スイッチＳＷ７とＬＥＤ２７は、バッテリ５１の正電極と接地との間に直列接続される。尚、スイッチＳＷ７は、ＬＥＤ２７とバッテリ５１との間に接続されるものとする。
【００４０】
例えば、スイッチＳＷ５乃至ＳＷ７が夫々閉じた場合、ＬＥＤ２５乃至２７は発光することとなる。又、例えば、スイッチＳＷ５乃至ＳＷ７が夫々開いた場合、ＬＥＤ２５乃至２７は消光することとなる。
【００４１】
＝＝＝制御装置＝＝＝
以下、図４、図５を参照して、本実施形態における制御装置について説明する。図４は、本実施形態における制御装置の機能を示すブロック図である。図５は、本実施形態における発光テーブルを示す図である。
【００４２】
制御装置８は、例えば、マイコン等を用いて実現される装置である。制御装置８は、角度信号、照度信号に基づいて、スイッチ装置ＳＷを制御する装置である。制御装置８は、照度センサ５２、角度エンコーダ６、スイッチ装置ＳＷと通信できるように、例えば有線または無線で通信可能に接続されている。
【００４３】
制御装置８は、送受信部８１、判定部８２、記憶部８３、制御部８４を有する。  
送受信部８１は、照度信号、角度信号を受信し、制御信号を送信する。  
記憶部８３は、例えば、第１の領域８３１、第２の領域８３２、第３の領域８３３を有する。  
第１の領域８３１には、例えば、吹流し装置１００を制御するためのプログラムが記憶されている。  
第２の領域８３２には、例えば、照度信号に基づく照度を示す情報、角度信号に基づく角度θを示す情報が記憶される。
【００４４】
第３の領域８３３には、例えば、第１比較角度θ１を示す情報、第２比較角度θ２を示す情報、第３比較角度θ３（第１角度）を示す情報が記憶される。尚、第３比較角度θ３は、ＬＥＤ２５乃至２７のうち何れかを発光させるか、ＬＥＤ２５乃至２７を全て発光させないかの判断のために用いられる。第３比較角度θ３は、例えば、吹流し装置１００が設置されている位置の風力が、安全な風力よりも強い所定風力のときの角度θであり、実験的に求めてられるものとする。尚、例えば、第３比較角度θ３は、シミュレーション等によって求められることとしてもよい。例えば、火力発電所内に設置されている吹流し装置１００の周辺で、各種設備の点検や工事等の作業を行うことがある。安全な風力とは、例えば、吹流し装置１００の周辺の作業位置に有毒ガスが漏れ出したとしても、作業を行う作業者に被害を与えない程度となるように、当該有毒ガスを空中に拡散させるような風力である。ここで、例えば、吹流し装置１００が設置されている位置の風力が所定風力より強い場合、角度θは、第３比較角度θ３より大きくなる。一方、例えば、吹流し装置１００が設置されている位置の風力が所定風力より弱い場合、角度θは、第３比較角度θ３より小さくなる。つまり、角度θと、第３比較角度θ３との大小を比較することによって、吹流し装置１００が設置されている位置の風力が、所定風力より弱いか否かを判断できることとなる。
【００４５】
更に、第３の領域８３３には、例えば、第１比較角度θ１、第２比較角度θ２、第３比較角度θ３と、発光させるＬＥＤとが関連付けられた発光テーブルＴ１を示す情報が記憶されている。第１比較角度θ１、第２比較角度θ２は、ＬＥＤ２５乃至２７のうち何れのＬＥＤを発光させるかの、発光させるＬＥＤを選択するために用いられる。第１比較角度θ１、第２比較角度θ２、第３比較角度θ３は、例えば、第１比較角度θ１、第２比較角度θ２、第３比較角度θ３の順に大きくなるように設定される。
【００４６】
更に、第３の領域８３３には、例えば、所定照度を示す照度情報が記憶されている。尚、所定照度は、第３比較角度θ３と共に、ＬＥＤ２５乃至２７のうち何れかを発光させるか、ＬＥＤ２５乃至２７を全て発光させないかの判断のために用いられる。所定照度は、例えば、火力発電所内で各種設備の点検や工事等を行う作業者が、比較的遠方から吹流し２を視認できる程度の照度よりも高く設定されているものとする。つまり、例えば、照度が所定照度よりも高い場合、吹流し装置１００を確実に視認できることとなる。一方、例えば、照度が所定照度よりも低い場合、吹流し装置１００が設置されている位置が暗いために、吹流し装置１００を視認できない可能性があることとなる。
【００４７】
判定部８２は、角度信号に基づく角度θが、第３比較角度θ３より小さいか否かを判定する。つまり、判定部８２は、吹流し装置１００が設置されている位置における風力が所定風力よりも弱いか否かを判定（検出）することとなる。尚、角度エンコーダ６と、角度θが、第３比較角度θ３より小さいか否かを判定する判定部８２の機能が、風力検出装置に相当する。判定部８２は、角度信号に基づく角度θが、第１比較角度θ１より小さいか否かを判定する。判定部８２は、角度信号に基づく角度θが、第２比較角度θ２より小さいか否かを判定する。更に、判定部８２は、照度信号に基づく照度が所定照度より低いか否かを判定（検出）する。尚、照度センサ５２と、照度信号に基づく照度が所定照度より低いか否かを判定する判定部８２の機能が、照度検出装置に相当する。
【００４８】
制御部８４は、吹流し装置１００を制御するためのプログラムに基づいて、スイッチ装置ＳＷを制御する。
【００４９】
例えば、照度信号に基づく照度が所定照度より低くないと判定部８２が判定した場合、制御部８４は、スイッチを開く制御信号Ｚ５、Ｚ６、Ｚ７を送受信部８１から送信させる。例えば、照度信号に基づく照度が所定照度より低く、且つ、角度θが第３比較角度θ３よりも大きいと判定部８２が判定した場合、制御部８４は、スイッチを開く制御信号Ｚ５、Ｚ６、Ｚ７を送受信部８１から送信させる。例えば、照度信号に基づく照度が所定照度より低く、且つ、角度θが第３比較角度θ３よりも小さく、且つ、角度θが第２比較角度θ２よりも大きいと判定部８２が判定した場合、制御部８４は、スイッチを開く制御信号Ｚ５、Ｚ６、及び、スイッチを閉じる制御信号Ｚ７を送受信部８１から送信させる。例えば、照度信号に基づく照度が所定照度より低く、且つ、角度θが第２比較角度θ２よりも小さく、且つ、角度θが第１比較角度θ１よりも大きいと判定部８２が判定した場合、制御部８４は、スイッチを開く制御信号Ｚ５、Ｚ７、及び、スイッチを閉じる制御信号Ｚ６を送受信部８１から送信させる。例えば、照度信号に基づく照度が所定照度より低く、且つ、角度θが第１比較角度θ１よりも小さいと判定部８２が判定した場合、制御部８４は、スイッチを開く制御信号Ｚ６、Ｚ７、及び、スイッチを閉じる制御信号Ｚ５を送受信部８１から送信させる。
【００５０】
＝＝＝吹流し装置の動作＝＝＝
以下、図１、図２、図６を参照して、本実施形態における吹流し装置の動作について説明する。図６は、本実施形態における吹流し装置の動作を示すフローチャートである。
【００５１】
第１の領域８３１に記憶されている吹流し装置１００を制御するためのプログラムの実行が開始されて、制御装置８が吹流し装置１００の制御を開始したところから説明する。
【００５２】
制御装置８は、照度信号を受信する（ステップＳ１）。制御装置８は、照度信号に基づく照度が所定照度よりも低いか否かを判断する（ステップＳ２）。例えば、照度信号に基づく照度が所定照度よりも低くないと判断した場合（ステップＳ２のＮＯ）、制御装置８は、ステップＳ１の制御を行った後、ステップＳ２の判断を再度行う。
【００５３】
一方、例えば、照度信号に基づく照度が所定照度よりも低くい判断した場合（ステップＳ２のＹＥＳ）、制御装置８は、角度信号を受信する（ステップＳ３）。制御装置８は、角度信号に基づく角度θが第３比較角度θ３よりも小さいか否かを判断する。つまり、制御装置８は、吹流し２に供給される風力が所定風力よりも弱いか否かを判断する（ステップＳ４）。
【００５４】
例えば、角度信号に基づく角度θが第３比較角度θ３よりも小さくないと判断した場合（ステップＳ４のＮＯ）、制御装置８は、ステップＳ１の制御を行った後、ステップＳ２の判断を再度行う。
【００５５】
一方、例えば、角度信号に基づく角度θが第３比較角度θ３よりも小さいと判断した場合（ステップＳ４のＹＥＳ）、制御装置８は、判定部８２の判定結果に基づいて、ＬＥＤ２５乃至ＬＥＤ２７の何れかのＬＥＤを発光させた後（ステップＳ５）、吹流し装置１００の制御動作を終了する。
【００５６】
例えば、角度θが第３比較角度θ３よりも小さく、且つ、角度θが第２比較角度θ２よりも大きいと判定部８２が判定した場合、制御装置８は、スイッチを開く制御信号Ｚ５、Ｚ６、及び、スイッチを閉じる制御信号Ｚ７を送信する。その場合、ＬＥＤ２７に対してのみバッテリ５１から電力が供給されて、ＬＥＤ２７のみが発光することとなる。又、例えば、角度θが第２比較角度θ２よりも小さく、且つ、角度θが第１比較角度θ１よりも大きいと判定部８２が判定した場合、制御装置８は、スイッチを開く制御信号Ｚ５、Ｚ７、及び、スイッチを閉じる制御信号Ｚ６を送信するその場合、ＬＥＤ２６に対してのみバッテリ５１から電力が供給されて、ＬＥＤ２６のみが発光することとなる。又、例えば、角度θが第１比較角度θ１よりも小さいと判定部８２が判定した場合、制御装置８は、スイッチを開く制御信号Ｚ６、Ｚ７、及び、スイッチを閉じる制御信号Ｚ５を送信する。その場合、ＬＥＤ２５に対してのみバッテリ５１から電力が供給されて、ＬＥＤ２５のみが発光することとなる。つまり、角度θに応じた色のＬＥＤが発光することとなるので、ＬＥＤの発光色を視認して、吹流し装置１００が設置されている位置における風力を確実に確認することができる。
【００５７】
前述したように、判定部８２は、角度信号に基づく角度θが、第３比較角度θ３より小さいか否かを判定する。つまり、判定部８２は、吹流し２に供給される風力が所定風力よりも弱いか否かを判定（検出）する。角度θが第３比較角度θ３より小さい場合、制御装置８は、ＬＥＤ２５乃至２７のうち、何れかを発光させる。一方、角度θが第３比較角度θ３より大きい場合、制御装置８は、ＬＥＤ２５乃至２７全てを発光させないこととなる。従って、ＬＥＤ２５乃至２７が発光しているか、ＬＥＤ２５乃至２７の全てが発光していないかによって、吹流し装置１００が設置されている位置の風力が、所定風力よりも弱いか否かを確認することができる。例えば、火力発電所内の設備点検等の作業を行う地点に、吹流し装置１００を設置して、当該作業地点に有害ガスが漏れ出したときに、設備点検等の作業を行う作業員が危険に曝される虞があるか否かを判断することができる。従って、有害ガスが漏れ出す危険性のある地点に吹流し装置１００を設置して、吹流し装置１００が設置されている位置の風力を確認することによって、作業者の安全性を確保することができる。
【００５８】
又、吹流し２には、ＬＥＤ２５乃至２７が取り付けられる。支持装置７は吹流し２を支持する。例えば、ＬＥＤ２５乃至２７の発光を目視によって比較的確認し辛い日中でも、吹流し２を視認して、吹流し装置１００が設置されている位置の風力を確認することができる。吹流し装置１００が設置されている位置の風力を、昼夜を問わず確実に確認することができる。更に、例えば、吹流し２のたなびく方向から、吹流し装置１００が設置されている位置の風向を確認することができる。従って、風力及び風向を確認できる、使い勝手の吹流し装置１００を提供することができる。
【００５９】
又、支持装置７は、支持柱７１、回動アーム７４を有する。回動アーム７４は、支持柱７１を中心に３６０度回動できるように、回動アーム７４の一方側の端部が、支持柱７１の所定の高さ位置に回動可能に取り付けられる。回動アーム７４の他方側の端部には、回動部材７５を介して吹流し２が取り付けられる。制御装置８は、角度信号に基づく角度θと、第３比較角度θ３とに基づいて、吹流し装置１００が設置されている位置の風力が所定風力よりも弱いか否かを判定（検出）する。よって、吹流し２は、支持柱７１から離れた位置で、回動アーム７４によって支持されることとなる。更に、回動アーム７４は、例えば、回動アーム７４における吹流し２が取り付けられる他方側の端部が風下側に向けられるように、支持柱７１を中心に回動する。よって、吹流し２を支持柱７１の風下側で支持して、吹流し２がたなびいたときに、当該吹流し２が支持柱７１に絡むのを防止できる。よって、風力の強さに応じて吹流し２をたなびかせて、角度θを、吹流し装置１００が設置されている位置の風力の強さに応じた大きさとすることができる。従って、吹流し装置１００が設置されている位置の風力を確実に確認することができる。
【００６０】
又、判定部８２は、照度信号に基づく照度が所定照度より低いか否かを判定（検出）する。角度θが第３比較角度θ３より小さく、且つ、照度が所定照度より低い場合、制御装置８は、ＬＥＤ２５乃至２７の何れかを発光させる。よって、例えば、日中の吹流し２を比較的視認し易い場合、ＬＥＤ２５乃至２７は全て発光しいせず、夜間等の照度が所定照度よりも低く、且つ、角度θが第３比較角度θ３より小さく場合、ＬＥＤ２５乃至２７は全て発光することとなる。風力を確実に確認できるとともに、吹流し装置１００の消費電力を抑えることができる。
【００６１】
又、バッテリ５１からＬＥＤ２５乃至２７に電力が供給される。よって、例えば、ＬＥＤ２５乃至２７に対して電力を供給するための電源を確保する必要が無いので、電源の設置位置に関わらず、あらゆる位置に吹流し装置１００を設置することができる。従って、使い勝手のよい吹流し装置１００を提供することができる。更に、バッテリ５１は、風力発電装置４によって充電される。従って、バッテリ５１の充電量が減ったときも、バッテリ５１は、風力発電装置４によって充電されるので、ＬＥＤ２５乃至２７を確実に発光させることができる。よって、吹流し装置１００が設置されている位置の風力を確実に確認することができる。
【００６２】
又、バッテリ５１を充電するための太陽光発電装置３が設けられる。よって、比較的風力が弱いときにも、太陽光発電装３によってバッテリ５１を充電することができる。従って、吹流し装置１００が設置されている位置の風力を確実に確認できる吹流し装置１００を提供することができる。
【００６３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６４】
本実施形態においては、角度θが第３比較角度θ３より小さく、且つ、照度が所定照度より低いときに、ＬＥＤ２５乃至２７のうち何れかを発光させる構成について説明したが、これに限定されるものではない。例えば、ＬＥＤ２５乃至２７を点滅させてもよい。その場合、吹流し装置１００の視認性を向上させるとともに、吹流し装置１００の消費電力を抑えることができる。又、例えば、ＬＥＤ２５（ＬＥＤ２５ａ乃至２５ｄ）を点滅させるとき、ＬＥＤ２５ａ、２５ｂ、２５ｃ、２５ｄの順に点灯した（発光させた）後、２５ａ、２５ｂ、２５ｃ、２５ｄが全て同時に消灯する（発光させない）ように、ＬＥＤ２５ａ乃至２５ｄを夫々異なるタイミングで点滅させてもよい。尚、ＬＥＤ２６、２７もＬＥＤ２５と同様に点滅させてもよい。その場合、角度θが第３比較角度θ３より小さく、且つ、照度が所定照度より低いときに、吹流し２の開口２ａ側のＬＥＤから開口２ｂ側のＬＥＤの順に発光することとなる。よって、吹流し装置１００の設定されている位置の風向及び風力を、昼夜を問わず、確認することができる。従って、使い勝手のよい吹流し装置１００を提供することができる。
【００６５】
又、本実施形態においては、バッテリ５１の電力によってＬＥＤ２５乃至２７を発光させる構成について説明したが、これに限定されるものではない。例えば、ＬＥＤ２５乃至２７に対して電力を供給するための電源を設けて、当該電源から供給される電力によってＬＥＤ２５乃至２７を発光させてもよい。その場合、例えば、バッテリ５１の充電量に関わらず、ＬＥＤ２５乃至２７を発光させることができる。従って、風力を確実に確認できる吹流し装置１００を提供することができる。
【００６６】
又、本実施形態においては、ＬＥＤ２５乃至２７を発光させるとき、角度θに応じた色のＬＥＤを発光させる構成について説明したが、これに限定されるものではない。例えば、ＬＥＤ２５乃至２７が全て同色で発光するものとし、照度が所定照度より低いときに、角度θに応じた個数のＬＥＤを発光させることとしてもよい。具体的には、例えば、角度θが第３比較角度θ３よりも小さく、且つ、角度θが第２比較角度θ２よりも大きい場合、ＬＥＤ２５のみを発光させる。又、角度θが第２比較角度θ２よりも小さく、且つ、角度θが第１比較角度θ１よりも大きい場合、ＬＥＤ２５、２６のみを発光させる。又、角度θが第１比較角度θ１よりも小さい場合、ＬＥＤ２５乃至２７全てを発光させる。尚、角度θが第３比較角度θ３よりも大きい場合、ＬＥＤ２５乃至２７を全て発光させない。よって、角度θに応じた個数のＬＥＤが発光することとなるので、発光するＬＥＤの個数に基づいて、吹流し装置１００が設置されている位置における風力を瞬時に把握することができる。従って、例えば、火力発電所内における吹流し装置１００が設置されている作業地点で作業を行っている作業者は、当該作業地点の危険性の度合いを、発光するＬＥＤの個数に基づいて瞬時に判断できるので、当該作業者の安全性を更に確実に確保することができる。又、例えば、角度θが小さくなるにつれて、発光するＬＥＤの個数を増加させることによって、吹流し装置１００が設置されている位置における風力が弱くなるにつれて、吹流し２の視認性が向上することとなる。よって、例えば、吹流し装置１００が、火力発電所内の設備点検等の作業を行う地点に設置されている場合、当該作業地点の危険性の度合いを確実に把握することができる。従って、設備点検等の作業を行う作業者の安全性を、更に確実に確保することができる。
【符号の説明】
【００６７】
２  吹流し
３  太陽光発電装置
４  風力発電装置
６  角度エンコーダ
７  支持装置
８  制御装置
２５ａ、２５ｂ、２５ｃ、２５ｄ  ＬＥＤ
２６ａ、２６ｂ、２６ｃ、２６ｄ  ＬＥＤ
２７ａ、２７ｂ、２７ｃ、２７ｄ  ＬＥＤ
４５、７２  ベアリング
５１  バッテリ
５２  照度センサ
７１  支持柱
７３  取付部材
７４  回動アーム
７５  回動部材
７６  固定アーム
８１  送受信部
８２、判定部
８３  記憶部
８４  制御部
１００  吹流し装置
４１１  回転軸
７５１  回動軸
Ｌ１、Ｌ２  電線
ＳＷ  スイッチ装置
ＳＷ５、ＳＷ６、ＳＷ７  スイッチ
【図１】
0006013000.tif 000002
【図２】
0006013000.tif 000003
【図３】
0006013000.tif 000004
【図４】
0006013000.tif 000005
【図５】
0006013000.tif 000006
【図６】
0006013000.tif 000007